(57)【要約】【課題】別体の図柄フィルムなどを用いずに視認性の良いデザインを備えた使い捨ておむつを提供する。【解決手段】外装シート１が外面側不織布シート１ａと内面側不織布シート１ｂとを重ね合わせて構成された使い捨ておむつにおいて、前記外面側不織布シート１ａの外装シート内空間側の面に、デザインＤが印刷形成されている。【選択図】  図３
2004208836.tif 000002
【特許請求の範囲】
【請求項１】
外装シートが外面側不織布シートと内面側不織布シートとを重ね合わせて構成された使い捨ておむつにおいて、前記外面側不織布シートの外装シート内空間側の面、または前記内面側不織布シートの外装シート内空間側の面に、デザインが印刷形成されていることを特徴とする使い捨ておむつ。
【請求項２】
デザイン印刷用のインクが耐熱性および耐摩擦性を有するものである請求項１記載の使い捨ておむつ。
【請求項３】
外面側不織布シートおよび内面側不織布シートは、目付け５０ｇ／ｍ２以下、繊度１．０ｄｔｘ〜５．０ｄｔｘ、酸化チタン配合率５．０ｗｔ％以下のものである請求項１又は２記載の使い捨ておむつ。
【請求項４】
前記デザインがおむつ長手方向に沿った互いに平行な複数本の直線を含むものである請求項１〜３のいずれかに記載の使い捨ておむつ。
【請求項５】
前記デザインがおむつ幅方向に沿った互いに平行な複数本の直線を含むものである請求項１〜４のいずれかに記載の使い捨ておむつ。
【発明の詳細な説明】
【０００１】
【発明の属する技術分野】
本発明は、乳幼児が着用する使い捨ておむつに関するものである。
【０００２】
【従来の技術】
使い捨ておむつには、審美性の向上を図って、連続模様、図柄、ワンポイントマークなどのデザインが印刷されている。そして、従来においては防水フィルムにデザインが印刷されたり、デザインが印刷された図柄フィルムを外装シート内側に貼付けたりしていた（例えば、特許文献１参照。）。
【０００３】
【特許文献１】
特開２００１−５４５３６号公報
【０００４】
【発明が解決しようとする課題】
しかしパンツ型おむつに見られるように、外装シートが外面側不織布シートと内面側不織布シートとを重ね合わせた２重シート構造のものである使い捨ておむつにおいては、それより下層に位置する防水フィルムに印刷されたデザインが、２重シートを通してしか外部から見ることができないので、視認性が悪くなるという問題があった。また前記図柄フィルムを外面側不織布シートに貼付すれば、視認性が向上するが、別体のフィルムを必要としてコストがかかるという問題がある。
【０００５】
【課題を解決するための手段】
本発明は上記問題点を解消するため、外装シートが外面側不織布シートと内面側不織布シートとを重ね合わせて構成された使い捨ておむつにおいて、前記外面側不織布シートの外装シート内空間側の面、または前記内面側不織布シートの外装シート内空間側の面に、デザインが印刷形成されていることを特徴とする。
【０００６】
本発明によれば、デザインが外面側不織布シートの外装シート内空間側の面又は内面側不織布シートの外装シート内空間側の面に印刷形成されているので、外部からは１枚のシート（外面側不織布シート）を通してデザインを見ることができ、デザインの視認性が良好となる。またデザインは外装シート内空間に位置しているため、使用時にさわられたり、他のものと接触することがなく、デザインの審美性が保たれる。しかも特別の図柄フィルムを用いないのでコストアップを招かない。
【０００７】
本発明において、デザイン印刷用のインクが耐熱性および耐摩擦性を有するものであることが好ましい。このようなインクを用いて不織布にデザインを印刷しておくと、製造ラインにおけるサイドシール（熱溶着）時の加熱や機械的摩擦によって、デザインの剥がれ、変色、加工機への汚れの付着等を防止できる。
【０００８】
前記インクの耐熱性としては、１６０℃の耐熱性能を有するものが好ましく、２００℃の耐熱性能を有するものが最も好ましい。また前記インクの耐摩擦性としては、東洋インキ測定法（学振型摩擦堅牢度試験機  ０．２×９．８Ｎ（２００ｇ）５０回  対上質紙）による５段階評価（優）５−１（劣）の評価が、４または５となるものが好ましい。
【０００９】
本発明において、外面側不織布シートおよび内面側不織布シートは、目付け５０ｇ／ｍ２以下、繊度１．０ｄｔｘ〜５．０ｄｔｘであると、デザインの不織布シートへの印刷を良好、かつ付着強度が優れたものとすることができ、好適である。また外面側不織布シートおよび内面側不織布シートは、酸化チタンの配合率を５．０ｗｔ％以下に抑えると、デザイン視認性が良くなるので、好適である。
【００１０】
本発明において、デザインがおむつ長手方向に沿った互いに平行な複数本の直線、又は／及び、おむつ幅方向に沿った互いに平行な複数本の直線を含むものであることが好適である。
【００１１】
これらの直線によって、吸収体や後処理テープの外装シートに対する位置ずれの有無やずれ量を、製造時のサンプリングテスト時において、目視で知ることができる。
【００１２】
【発明の実施の形態】
本発明の実施形態について、図示するパンツ型使い捨ておむつを例にして説明する。
【００１３】
図１〜図３において、１は外装シート、２は防水シート、３は吸収体、４は内装シート、５は胴開口部、６、６は脚開口部、７は前身頃、８は後身頃である。
【００１４】
前記外装シート１は、外面側不織布シート１ａと内面側不織布シート１ｂとを重ね合わせて構成された二重シート構造のものである。この外装シート１の内空間内におむつ幅方向に伸びる伸縮紐を上下多段に配して、前身頃７の上側両側部および後身頃８の上側両側部に幅方向に収縮する多数のギャザーを形成してもよいが、図示例には、このような伸縮紐を配していない。
【００１５】
前記外面側不織布シート１ａおよび内面側不織布シート１ｂは、芯部がＰＥＴ、外周部がＰＥの繊維を素材としてなる不織布であって、目付け２０ｇ／ｍ２、繊度２．０ｄｔｅｘ、酸化チタン配合率４．０ｗｔ％のものを用いている。前記外面側不織布シート１ａの外装シート内空間側の面には、図１、図２にハッチングで示すような格子模様のデザインＤが、前身頃７から後身頃８におかけてパンツのほぼ全面に印刷形成されている。この格子模様のデザインＤを構成する複数本の縦方向直線帯ｄ１は互いに平行でおむつ長手方向に沿って形成され、複数本の横方向直線帯ｄ２は互いに平行でおむつ幅方向に沿って形成されている。前記デザインＤの印刷用のインク９としては、耐熱性２００℃、耐摩擦性が東洋インキ測定法における評価４のもの、すなわち耐熱性および耐摩擦性にすぐれたものが用いられている。
【００１６】
前記外装シート１の内側に位置する防水シート２は、ＰＥフィルムによって構成されている。また防水シート２の内側に位置する吸収体３は、解繊パルプと高分子吸水ポリマーとから構成されている。前記防水シート２の内側に位置して着用者の肌に接する内装シート４は、芯部がＰＥＴ、外周部がＰＥの繊維を素材としてなる不織布であって、目付け２２ｇ／ｍ２、繊度２．２ｄｔｅｘのものを用いている。
【００１７】
前記吸収体３の前身頃７における上辺Ｕ１、後身頃８における上辺Ｕ２、左側辺Ｓ１、右側辺Ｓ２のそれぞれの位置は、図１、図２に示すように、前記横方向直線帯ｄ２または縦方向直線帯ｄ１に近接した位置に設定されており、製造時のサンプリングテスト時に、吸収体３が外装シート１に対し、ずれ無く正しい位置に配設されているか否かを、目視によって判断できるようにしている。
【００１８】
また後身頃８の中央上部において貼着される後処理テープ１０の左右方向位置は、中央の縦方向直線帯ｄ１と重なる位置に、後処理テープ１０の上端位置は、前記横方向直線帯ｄ２の１つと所定の関係にある位置に、それぞれ設定されており、後処理テープ１０が外装シート１の正しい位置に貼着されているか否かを目視によって判断できるようにしている。
【００１９】
本発明は上記実施形態に示す外、種々の形態をとることができ、例えば図４に示すように、デザインＤを前記内面側不織布シート１ｂの外装シート内空間側の面にインク９を用いて印刷形成することができる。またデザインＤとして、おむつ長手方向に沿った互いに平行な複数本の直線からなる模様やおむつ幅方向に沿った互いに平行な複数本の直線からなる模様を採用し、これらをおむつ全面に印刷することもできる。さらにデザインＤとして、動物、花などの図柄を採用することができる。なお、上記実施形態はパンツ型使い捨ておむつに係るものであるが、本発明をフラット型使い捨ておむつに適用することも可能である。
【００２０】
【発明の効果】
本発明は別体の図柄フィルムなどを用いずに視認性の良いデザインを備えた使い捨ておむつを提供することができる。
【図面の簡単な説明】
【図１】本発明の一実施形態の使い捨ておむつを示す正面図。
【図２】その背面図。
【図３】前身頃における図１のＡ−Ａ線断面図。
【図４】本発明の他の実施形態の使い捨ておむつの前身頃における図１のＡ−Ａ線に相当する部分の断面図。
【符号の説明】
１  外装シート
１ａ  外面側不織布シート
１ｂ  内面側不織布シート
９  インク
Ｄ  デザイン
【図１】
2004208836.tif 000003
【図２】
2004208836.tif 000004
【図３】
2004208836.tif 000005
【図４】
2004208836.tif 000006